(57)【要約】【課題】  音響機器やテレビなどのオーディオビジュアル機器および外部機器との接続用ケーブルに過度な引っ張り応力が加えられた場合、該機器のレセプタクル端子およびケーブルプラグとの嵌合接続部が離脱することがあり、ケーブルプラグの確実な係止手段を提供する。【解決手段】  機器の端子コンパートメントを覆う端子コンパートメントカバー内面にケーブルを挿通させるための欠切を有するリブ状突起を形成し、該欠切部周辺には該リブの一部をＵ字型に折り取る事を可能にするための薄肉状の溝を形成する。さらには、端子コンパートメントカバーにより覆われた端子コンパートメント内部の接続状態の確認を可能とする覗き窓を該端子コンパートメントカバーに形成する。【選択図】  図３
2007311214.tif 000002
【特許請求の範囲】
【請求項１】
外部機器からのケーブルの端末に取り付けられたプラグを接続するためのレセプタクル端子を具備する薄型表示装置の外部機器ケーブル接続装置において、該レセプタクル端子を収容する端子コンパートメントを覆うカバー内面に該ケーブル端末プラグおよび該レセプタクル端子の嵌合接続部の離脱防止装置を具備したことを特徴とする薄型表示装置。
【請求項２】
請求項１に記載の薄型表示装置の外部機器ケーブル接続装置において、端子コンパートメントを覆うカバー内面に少なくともひとつのリブ状突起および該リブ状突起に欠切を形成したことを特徴とする薄型表示装置の外部機器ケーブル接続装置。
【請求項３】
請求項２に記載の薄型表示装置の外部機器ケーブル接続装置において、端子コンパートメントを覆うカバー内面のリブ状突起の欠切の周囲に薄肉状の溝を形成したことを特徴とする薄型表示装置の外部機器ケーブル接続装置。
【請求項４】
請求項２または３のいずれかに記載の薄型表示装置の外部機器ケーブル接続装置において、端子コンパートメントを覆うカバー内面からのリブ状突起立ち上がり部分を薄肉状に形成したことを特徴とする薄型表示装置の外部機器ケーブル接続装置。
【請求項５】
請求項１乃至４のいずれかに記載の薄型表示装置の外部機器ケーブル接続装置において、端子コンパートメントカバー内部のケーブル通過位置直近の該端子カバーに穿孔したことを特徴とする薄型表示装置の外部機器ケーブル接続装置。
【発明の詳細な説明】
【技術分野】
【０００１】
本発明は、音響機器やテレビなどのオーディオビジュアル機器間を信号ケーブルにより接続するための該機器に搭載されるケーブル接続装置に関し、詳しくは該オーディオビジュアル機器に配設されたレセプタクル端子に嵌合接続された該信号ケーブルが、該レセプタクル端子から離脱する事故を未然防止するための信号ケーブル接続用プラグおよびレセプタクル端子との係止構造に関するものである。
【背景技術】
【０００２】
音響機器やテレビなどのオーディオビジュアル機器には、外部機器との信号接続を目的とする多数のケーブルがコネクタにより接続されている。民生用機器ではコストパフォーマンスの追求が設計上の大きな課題の一つであり、従って、ケーブル端末に取り付けられたプラグは、機器側のレセプタクル端子に挿嵌するのみで保持させ、プラグおよびレセプタクル端子の嵌合部分に捻じ込み構造やバヨネット構造などによるロック機構を有しない簡単な構造のものが多い。また、信号入力端子用、信号出力端子用、音声回路用、映像回路用またはその他の回路機能制御用などの多くの異なる用途に、同一タイプのコネクタを適用することにより部品の共用化を図り、結果としてコストパフォーマンスの優れた製品を実現している。
【０００３】
このような状況から、捻じ込み構造やロック機構を具備しないコネクタケーブルに外部から過度に引っ張り応力が加えられた場合、ケーブルプラグが機器のレセプタクル端子から離脱することがある。また、機器の端子板には各レセプタクル端子の機能が異なる同一タイプのレセプタクル端子が多数配設され、離脱した該ケーブルプラグを該レセプタクル端子に適正に再挿嵌されずに誤接続される懸念もある。
【０００４】
前述の課題に対する対応手段を提供する特許文献１によれば、ケーブル側コネクタを機器本体側コネクタの嵌合位置に保持するために、コネクタカバーの閉位置でコネクタカバーに設けた突起がコネクタの後部の位置に来て、ケーブル側コネクタをその離脱方向へ移動することを阻止するとしている。しかしながら、ケーブル側コネクタの後部位置およびコネクタカバーに設けた突起間の間隙が過大である場合には、該間隙寸法に応じケーブルコネクタが抜け方向に移動することになり不安定な接続の原因となる。逆にケーブル側コネクタ後部が大きく、該ケーブル側コネクタの後部およびコネクタカバーに設けられた突起が相互に干渉する場合には、コネクタカバーによりコネクタハウジングを閉じることが出来ず、該特許文献１による発明の目的であるコネクタカバーによるコネクタ抜け防止の機能を果たすことが不可能となる。
【０００５】
一般に機器本体側に取り付けられるレセプタクル端子およびケーブル端末に取り付けられるプラグの接続用電極部分の寸法、電気的接触抵抗値、挿抜力などのコネクタとしての機能部分については厳密に定義され規格化され、異なるメーカーのプラグおよびレセプタクル端子の組み合わせによる接続であってもコネクタとしての機能が保証される。しかしながらコネクタの機能部分でないケーブルおよびプラグとの係止手段、プラグ把持部の外装形状、寸法、仕上げ、部材などについては異なるメーカー間では必ずしも同一ではない。このような現状に鑑み、本発明は、機器のユーザーにより選定される不特定メーカーのケーブルプラグの使用時においても有効に機能する外部機器ケーブル接続装置を提供するものである。
【特許文献１】特開２０００−３４０２８９号公報
【発明の開示】
【発明が解決しようとする課題】
【０００６】
音響機器やテレビなどのオーディオビジュアル機器では信号入力端子用、信号出力端子用、音声回路用、映像回路用またはその他の回路機能制御用などの異なる用途に同一タイプのコネクタを適用し部品の共用化が図っている。また、捻じ込み構造やロック機構を具備しないコネクタケーブルに外部から過度な引っ張り応力が加えられた場合、ケーブルプラグが該機器のレセプタクル端子から離脱することがあり、一旦、接続されたプラグおよびレセプタクル端子が離脱した場合、再挿嵌接続を適正に行うことが困難で、誤接続などを発生させることがあった。
【課題を解決するための手段】
【０００７】
外部機器からのケーブル端末のプラグを接続するためのレセプタクル端子を具備する薄型表示装置などの外部機器ケーブル接続装置において、該レセプタクル端子部を収容する端子コンパートメントを覆うカバー内面に該ケーブル端末プラグおよび該レセプタクル端子の嵌合接続部の離脱防止構造を具備する。
【０００８】
薄型表示装置などを構成する外部機器ケーブル接続装置において、該ケーブル接続装置の端子コンパートメントを覆う端子コンパートメントカバー内面に該ケーブルが挿通可能な欠切を有する少なくともひとつのリブ状突起を形成する。
【０００９】
薄型表示装置などの外部機器ケーブル接続装置において、端子コンパートメントを覆う端子コンパートメントカバー内面のリブ状突起の欠切の周囲に薄肉状の溝をＵ字型に形成する。
【００１０】
薄型表示装置などの外部機器ケーブル接続装置において、端子コンパートメントを覆う端子コンパートメントカバーからのリブ状突起の立ち上がり部分を薄肉状に形成し、該薄肉部分に沿って該リブ状突起を切り離し除去可能に形成する。
【００１１】
薄型表示装置などの外部機器ケーブル接続装置において、端子コンパートメントを覆うカバー内部のケーブル通過位置の該端子コンパートメントカバーの直近位置に穿孔し、該カバー内部のケーブル通過状態やコネクタの嵌合状態が該カバーの外部から視認可能とする。
【発明の効果】
【００１２】
音響機器やテレビなどのオーディオビジュアル機器では、コストパフォーマンス改善のため、捻じ込み構造やロック機構を具備しない構造の簡単なコネクタが外部機器との信号ケーブル接続用として多く使用され、従ってコネクタケーブルに外部から過度な引っ張り応力が加えられた場合、ケーブルプラグが機器のレセプタクル端子から離脱することがある。また、信号入力端子用、信号出力端子用、音声回路用、映像回路用またはその他の回路機能制御用など多くの異なる用途に、同一タイプのコネクタを汎用的に使用し、コストパフォーマンスを改善することも多い。このため、一旦、接続されたプラグおよびレセプタクル端子が離脱した場合に原状に復することが容易でない。本発明はこのような状況に鑑み、コネクタのプラグおよびレセプタクル端子の離脱を防止する外部機器ケーブル接続装置を提供する。
【発明を実施するための最良の形態】
【００１３】
図に基づいて本発明の実施形態を薄型表示装置例としての液晶テレビに適用した場合に関し、以下に説明する。図１は本発明の実施例としての液晶テレビの外観前面図で、１は画像表示を行う液晶表示パネル、２は前キャビネット、３はスタンドである。図２は該液晶テレビ本体の背面図である。６は後ろキャビネットで端子コンパートメントカバーを取り外した端子コンパートメント６ｃ内部の端子板６ｂ、レセプタクル端子６ａ、ケーブル４、該ケーブル４の先端に取り付けたプラグ５、および端子コンパートメント６ｃのケーブル挿通用開口６ｄを示している。
【００１４】
図３は本発明の第１の実施形態を示し、図３（ａ）は端子コンパートメント６ｃ部分の詳細図、図３（ｂ）は端子コンパートメントカバー７内面の斜視図、図３（ｃ）は端子コンパートメントカバー７の外観図である。端子コンパートメント６ｃおよび端子コンパートメントカバー７の下部には、外部機器からのケーブル４先端に取り付けられたプラグ５を該端子コンパートメント６ｃ内のレセプタクル端子６ａに接続するためのケーブル挿通用開口６ｄおよび７ｆが形成されている。液晶テレビは壁面に当接して懸架されることが多いため、壁面への懸架を妨げるような突起物が液晶テレビ背面の後方に向かって配設されることが無きよう、外部機器からのケーブル４先端のプラグ５をレセプタクル端子６ａに挿入する方向は液晶テレビの表示画面と直角な方向ではなく、図３（ａ）に示すごとく表示画面と平行な方向としている。
【００１５】
液晶テレビの後ろキャビネットの背面に配設された図３（ａ）に示す端子コンパートメント６ｃ内部の端子板６ｂに配設された多数のレセプタクル端子６ａに外部機器からの所定のケーブル４を接続後、図３（ａ）および図３（ｂ）中に鎖線矢印により示すごとく、図３（ｂ）に示す端子コンパートメントカバー７下部の係止爪７ｄを端子コンパートメント６ｃ下部の爪嵌合孔６ｅに嵌合係止し、次に端子コンパートメントカバー７上部のラッチ７ｅを端子コンパートメント６ｃ上部のラッチ嵌合孔６ｆに嵌合係止し、端子コンパートメント６ｃを端子コンパートメントカバー７により覆う。
【００１６】
端子コンパートメントカバー７に覆われた端子コンパートメント６ｃ内部においては、ケーブル４が端子コンパートメントカバー７内面に２列に配設された第１のリブ７ａおよび第２のリブ７ｂのケーブル挿通用欠切７ｃを挿通するとともに、プラグ５の後端が該リブ７ａに当接する。このため、レセプタクル端子６ａに挿嵌されたプラグ５の軸方向に過度な引っ張り応力が加えられた場合でも、プラグ５がレセプタクル端子６ａから離脱することを防止することが可能となる。
【００１７】
また、図３（ｃ）に示すごとく、端子コンパートメントカバー７内面の第１のリブ７ａおよび第２のリブ７ｂのケーブル挿通用欠切部分の端子コンパートメントカバー７の直近位置に覗き窓７ｇが穿設され、該覗き窓７ｇを通じ端子コンパートメントカバー７の外部から端子コンパートメント６ｃ内のケーブルの通過状態やプラグの接続状態の適否を視認することが出来る。
【００１８】
プラグ５や該プラグ５と嵌合するレセプタクル端子６ａのメーカーが、異なる場合においても、該プラグ５および該レセプタクル端子６ａ相互の両立性を確保し、コネクタとしての機能を発揮させるために、該プラグ５および該レセプタクル端子６ａが嵌合し、電気接続される中心電極部や外周電極部の寸法は、厳密に規定されている。しかしながら、嵌合部分以外のプラグ把持部の直径や長さなどについては、規定されておらず、市場に現存するプラグの実態に沿って何れの形状を有するプラグを液晶テレビのユーザーが選定し使用してもケーブルプラグおよび液晶テレビに配設されたレセプタクル端子の嵌合接続の抜けを防止可能とする対応が必要である。
【００１９】
このため、本発明の第２の実施形態を示す図４（ａ）のごとく端子コンパートメントカバー７裏面に形成された第２のリブ７ｂのケーブル挿通用欠切７ｃの周囲に薄肉部７ｈをＵ字型に形成し、また図４（ａ）中に鎖線で示す切断線Ａ−Ａに沿って切断した縦断面図の図４（ｂ）に示すごとく該薄肉部７ｈは該第２のリブ７ｂと対向する第１のリブ７ａにも同様に形成している。外部機器からのケーブル４先端のプラグ５が端子コンパートメントカバー７に形成された第１のリブ７ａおよび端子コンパートメント６ｃ内部の端子板６ｂにより形成される空間に収容可能なサイズである場合には、端子コンパートメントカバー内部の端子コンパートメント内部の透視図である図４（ｂ）に示すごとく、プラグ５の後端部は第１のリブ７ａに当接し、プラグ５がレセプタクル端子６ａから離脱することはない。
【００２０】
しかしながら、図４（ｂ）に示すごとくプラグ５と異なる形状の把持部を有する大型プラグ８がレセプタクル端子６ａに嵌合接続された場合には、該大型プラグ８の把持部が端子コンパートメントカバー７裏面に形成された第１のリブ７ａと干渉し、該端子コンパートメントカバー７により端子コンパートメント６ｃを覆うことが出来ない。この場合には図４（ｂ）に示すごとく第１のリブ７ａのケーブル挿通用欠切７ｃの周辺薄肉部７ｈに沿って打ち抜き部７ｊをＵ字型に除去する。除去されたＵ字型の打ち抜き部７ｊの空間部に大型プラグ８の把持部を収容することが可能となり、該大型プラグ８の把持部の後端は第２のリブ７ｂに当接し、大型プラグ８がレセプタクル端子６ａから離脱することはない。                    
【００２１】
図５は本発明の第３の実施形態を示し、図５（ａ）は端子コンパートメントカバー７の内面図、図５（ｂ）は図５（ａ）中に鎖線で示す切断線Ｂ−Ｂに沿って切断した横断面図を示す。将来、外部機器からのケーブルや該ケーブル先端のプラグに予期しない大きさや形状のものが出現し、端子コンパートメントカバー内面に配設された第１のリブ７ａまたは第２のリブ７ｂが、該プラグの把持部と干渉し、レセプタクル端子との接続作業後に該端子コンパートメントカバー７により端子コンパートメント６を覆うことが不可能となることを避けるため、図５（ｂ）に示すごとく第１のリブ７ａおよび第２のリブ７ｂの端子コンパートメントカバー７内面からの立ち上がり部分には共に薄肉の溝７ｋを形成し、必要に応じ該第１のリブ７ａおよび該第２のリブ７ｂを折り取ることが可能な構成としている。
【産業上の利用可能性】
【００２２】
本発明の実施形態を説明するために液晶テレビを実施例として説明しているが、これに限定せず、実施例と同様に筐体内にコネクタおよびケーブルを収容するマンション、アパート、ホテルなどの共聴アンテナからの信号分配用ボックスなどに適用しても同様に好適である。
【図面の簡単な説明】
【００２３】
【図１】本発明の実施例としての液晶テレビの前面図である。
【図２】液晶テレビ本体の背面図である。
【図３】本発明の第１の実施形態を示し、図３（ａ）は端子コンパートメント６ｃの詳細図、図３（ｂ）は端子コンパートメントカバー７の斜視図、図３（ｃ）は端子コンパートメントカバー７の外観図である。
【図４】本発明の第２の実施形態を示し、図４（ａ）は端子コンパートメントカバー７の側面図、図４（ｂ）は図４（ａ）中に鎖線Ａ−Ａで示す切断線に沿って切断した縦断面図および端子コンパートメントカバー７内の透視図である。
【図５】本発明の第３の実施形態を示し、図５（ａ）は端子コンパートメントカバー７の裏面図、図５（ｂ）は図５（ａ）中に鎖線Ｂ−Ｂで示す切断線に沿って切断した横断面図である。
【符号の説明】
【００２４】
１：  液晶表示パネル
２：  前キャビネット
３：  スタンド
４：  ケーブル
５：  プラグ
６：  後ろキャビネット
６ａ：  レセプタクル端子
６ｂ：  端子板
６ｃ：  端子コンパートメント
６ｄ：  ケーブル挿通用開口
６ｅ：  爪嵌合孔
６ｆ：  ラッチ嵌合孔
７：  端子コンパートメントカバー
７ａ：  第１のリブ
７ｂ：  第２のリブ
７ｃ：  ケーブル挿通用欠切
７ｄ：  係止爪
７ｅ：  ラッチ
７ｆ：  ケーブル挿通用開口
７ｇ：  覗き窓
７ｈ：  薄肉部
７ｊ：  打ち抜き部
７ｋ：  切り離し溝
８：  大型プラグ
【図１】
2007311214.tif 000003
【図２】
2007311214.tif 000004
【図３】
2007311214.tif 000005
【図４】
2007311214.tif 000006
【図５】
2007311214.tif 000007